(57)【要約】      （修正有）【課題】活動輪の固定構造と活動輪を備える設備とを提供する。【解決手段】活動輪は、ホイールとホイールに接続する取付板とを含み、固定構造は、平面１１に位置する少なくとも２つの係止溝２１、少なくとも１つの固定位置規制部２２及び変形ストッバ部２３を含み、係止溝２１、固定位置規制部２２、及び変形ストッバ部２３は、ともに取付板を固定する係合空間を形成する。当該活動輪の固定構造は、変形ストッバ部２３の変形によって活動輪の着脱を完成でき、取付が便利である長所を有し、一方、ネジ固定方式を取り消すため、コストを降下し、且つ工数を節約できる。【選択図】図３
0003209927.tif 000002
【実用新案登録請求の範囲】
【請求項１】
前記活動輪は、ホイールと前記ホイールに接続する取付板とを含み、前記固定構造は、一平面に位置する少なくとも２つの係止溝、少なくとも１つの固定位置規制部及び変形ストッバ部を含み、前記係止溝、固定位置規制部、及び変形ストッバ部は、ともに前記取付板を固定する係合空間を形成し、
２つの前記係止溝の係止口は対向して前記取付板が進入する通路を形成し、前記通路は、長手方向に沿って対向する第１端と第２端とを備え、前記係止溝は、前記取付板の両側をそれぞれ係止し、
前記通路の長手方向の第１端に少なくとも１つの固定位置規制部が設けられ、前記固定位置規制部は、開口部を備え、前記開口部は、前記取付板の連なる両辺をそれぞれ阻み、
前記通路の長手方向の第２端に変形ストッバ部が設けられ、前記変形ストッバ部は、前記取付板が前記係合空間に進入する第１状態と、その局部が折り曲げられた後に前記取付板が前記係合空間から退出することを阻む第２状態とを有することを特徴とする活動輪の固定構造。
【請求項２】
前記取付板は、長方形または正方形であり、前記固定位置規制部の開口部は、互いに垂直する２つの折り辺を含み、前記開口部は、前記取付板の１つの角の両辺をそれぞれ阻むことを特徴とする請求項１に記載の固定構造。
【請求項３】
前記通路の長手方向の第１端に１つの前記固定位置規制部が設けられ、前記通路の長手方向の一側に１つの前記固定位置規制部と１つの係止溝が設けられ、前記開口部の１つの折り辺は、前記固定位置規制部の同側の前記係止溝の延長線に位置し、前記通路の長手方向の他側に１つの係止溝のみが設けられることを特徴とする請求項２に記載の固定構造。
【請求項４】
前記通路の長手方向の第１端に２つの前記固定位置規制部が設けられ、前記通路の長手方向の両側に１つの前記固定位置規制部と１つの係止溝がそれぞれ設けられ、前記開口部の１つの折り辺は、前記固定位置規制部の同側の前記係止溝の延長線に位置することを特徴とする請求項２に記載の固定構造。
【請求項５】
前記変形ストッバ部は、前記平面に平行する第１状態と、前記平面に垂直する第２状態とを有することを特徴とする請求項１〜４のうちいずれか１項に記載の固定構造。
【請求項６】
前記変形ストッバ部は、対向配置された２つの折曲片を含むことを特徴とする請求項５に記載の固定構造。
【請求項７】
前記固定構造は、少なくとも一つの第１のネジ孔をさらに含み、前記取付板には、前記第１のネジ孔に合わせる第２のネジ孔が設けられ、前記第１のネジ孔と前記固定位置規制部とは、一対をなし、前記第１のネジ孔と前記固定位置規制部は、前記通路の長手方向の両側にそれぞれ位置することを特徴とする請求項１〜４のうちいずれか１項に記載の固定構造。
【請求項８】
前記平面は、補強板であり、前記係止溝、固定位置規制部及び変形ストッバ部は、前記補強板にプレス加工によってそれぞれ形成することを特徴とする請求項１〜４のうちいずれか１項に記載の固定構造。
【請求項９】
活動輪と、請求項１〜８のいずれか１項に記載の固定構造とを含むことを特徴とする設備。
【請求項１０】
前記設備は、キャビネット、テーブル、椅子、カート、スケートボード、除湿機、掃除機、芝刈機、暖房器
、及びトランクのうちの一方であることを特徴とする請求項９に記載の設備。
【考案の詳細な説明】
【技術分野】
【０００１】
本考案は、活動輪の固定構造及び活動輪を備える設備に係る。
【背景技術】
【０００２】
活動輪は、転向できるホイールであり、一般に、水平方向に３６０度回転することができ、柔軟性を持つため、活動輪を備える様々な設備（例えば、鋼製キャビネット）に広く利用される。
【考案の概要】
【考案が解決しようとする課題】
【０００３】
鋼製キャビネットを例として、鋼製キャビネットの活動輪の取付方式は、四つの辺がすべてネジで固定する方式、三つの辺が係合し且つ１つの辺がネジで固定する方式、または、三つの辺が係合し且つ１つの辺がバーリング加工を行う方式を採用しても良い。ここで、四つの辺がすべてネジで固定する方式を採用する短所は、多くの労力や工数をかかり、三つの辺が係合し且つ１つの辺がネジで固定する方式を採用する短所は、一部の工数を節約しても、１つのネジを手動で取付ける必要があり、三つの辺が係合し且つ１つの辺がバーリング加工を行う方式を採用する短所は、工数を節約できるが、鋼板であるため、バーリング加工において折れやすい、二次加工を行うことができない、さらに、加工の位置決めが正確ではない場合、活動輪を位置規制溝に移動するようになりやすい、活動輪の転動に影響する。
【課題を解決するための手段】
【０００４】
従来技術に存在する問題に対して、本考案の第１の局面は、活動輪の固定構造を提供し、前記活動輪は、ホイールと前記ホイールに接続する取付板とを含み、前記固定構造は、平面に位置する少なくとも２つの係止溝、少なくとも１つの固定位置規制部及び変形ストッバ部を含み、前記係止溝、固定位置規制部、及び変形ストッバ部は、ともに前記取付板を固定する係合空間を形成し、
ここで、２つの前記係止溝の係止口は、対向して前記取付板が進入する通路を形成し、前記通路は、長手方向に沿って対向する第１端と第２端とを備え、前記係止溝は、前記取付板の両側をそれぞれ係止し、
前記通路の長手方向の第１端に少なくとも１つの固定位置規制部が設けられ、前記固定位置規制部は、開口部を備え、前記開口部は、前記取付板の連なる両辺をそれぞれ阻み、
前記通路の長手方向の第２端に変形ストッバ部が設けられ、前記変形ストッバ部は、前記取付板が前記係合空間に進入する第１状態と、その局部が折り曲げられた後に前記取付板が前記係合空間から退出することを阻む第２状態とを有する。
【０００５】
好ましくは、前記取付板は、長方形または正方形であり、前記固定位置規制部の開口部は、互いに垂直する２つの折り辺を含み、前記開口部は、前記取付板の１つの角の両辺をそれぞれ阻む。
【０００６】
好ましくは、前記通路の長手方向の第１端に１つの前記固定位置規制部が設けられ、前記通路の長手方向の一側に１つの前記固定位置規制部と１つの係止溝が設けられ、前記開口部の１つの折り辺は、前記固定位置規制部の同側の前記係止溝の延長線に位置し、前記通路の長手方向の他側に１つの係止溝のみが設けられる。
【０００７】
好ましくは、前記通路の長手方向の第１端に２つの前記固定位置規制部が設けられ、前記通路の長手方向の両側に１つの前記固定位置規制部と１つの係止溝がそれぞれ設けられ、前記開口部の１つの折り辺は、前記固定位置規制部の同側の前記係止溝の延長線に位置する。
【０００８】
好ましくは、前記変形ストッバ部は、前記平面に平行する第１状態と、前記平面に垂直する第２状態とを有する。
【０００９】
好ましくは、前記変形ストッバ部は、対向配置された２つの折曲片を含む。
【００１０】
好ましくは、前記固定構造は、少なくとも一つの第１のネジ孔をさらに含み、前記取付板には、前記第１のネジ孔に合わせる第２のネジ孔が設けられ、前記第１のネジ孔と前記固定位置規制部とは、一対をなし、前記第１のネジ孔と前記固定位置規制部は、前記通路の長手方向の両側にそれぞれ位置する。
【００１１】
好ましくは、前記平面は、補強板であり、前記係止溝、固定位置規制部及び変形ストッバ部は、前記補強板にプレス加工によってそれぞれ形成する。
【００１２】
本考案の第２の局面は、活動輪を備える設備を提供し、前記設備は、活動輪と、前記固定構造とを含む。
【００１３】
好ましくは、前記設備は、キャビネット、テーブル、椅子、カート、スケートボード、除湿機、掃除機、芝刈機、暖房器
、及びトランクのうちの一方である。
【考案の効果】
【００１４】
従来技術に比べて、本考案が提供する活動輪の固定構造と活動輪を備える設備は、少なくとも以下の有益な効果を有する。
【００１５】
本考案の活動輪の固定構造は、変形ストッバ部の変形によって活動輪の着脱を完成でき、取付が便利である長所を有し、一方、ネジ固定方式を取り消すため、コストを降下し、且つ工数を節約できる。
【図面の簡単な説明】
【００１６】
【図１】本考案の実施例の固定構造の斜視図である。
【図２】本考案の実施例の固定構造の平面図である。
【図３】図１におけるＡ部分の拡大図である。
【図４】本考案の実施例の活動輪の斜視図である。
【図５Ａ】本考案の実施例の固定構造に活動輪を取り付けた後の模式図である。
【図５Ｂ】本考案の実施例の固定構造に活動輪を取り付けた後の模式図である。
【考案を実施するための形態】
【００１７】
以下、図面を参照して例示的な実施例をより全面的に説明する。ただし、例示的な実施例が多種の方式にて実施され得、ここに説明する実施の形態に限らないことは理解されるべきである。これらの実施の形態によって、本考案はより全面的且つ完備となり、当業者に例示的な実施例の構想をより全面的に伝えることができる。図面において、同じ符号は、同一または類似の構造を表し、それらの重複の説明を省略する。
【００１８】
本考案で用いられる位置及び方向を表す用語は、何れも添付図面を例として説明を行うものであるが、必要に応じて、本考案の保護範囲内に含まれる変更を行なってもよい。
【００１９】
図１〜図４を参照すると、本考案の第１の局面は、活動輪３０の固定構造を提供し、活動輪３０は、ホイール３１と当該ホイール３１に接続する取付板３２とを含み、固定構造は、平面１１に位置する少なくとも２つの係止溝２１、少なくとも１つの固定位置規制部２２及び変形ストッバ部２３を含み、係止溝２１、固定位置規制部２２、及び変形ストッバ部２３は、ともに取付板３２を固定する係合空間を形成する。
【００２０】
具体的には、活動輪３０は、キャスター、方向規制キャスターまたは自在キャスターであっても良い、当該活動輪３０は、ホイール３１と取付板３２とを含む。ここで、活動輪３０は、取付板３２によって底板１０に取付けられ、取付板３２の形状は、規則形状または不規則形状であっても良い、好ましくは、規則形状であり、例えば、長方形または正方形であっても良い、長方形または正方形構造の取付板３２は、活動輪３０が転向する過程で係合空間に回転しにくいため、回転による緩みを有効に避ける。ホイール３１と取付板３２とは、軸受または連結ロッドによって接続し、本考案は、ホイール３１と取付板３２との具体的な接続方式を限定しない。
【００２１】
平面１１は、キャビネットまたはテーブルなど、活動輪３０を備える設備の底板の一部の領域であっても良い、好ましくは、当該底板が鋼板であり、鋼板は、プレス成形や加工を行いやすい、且つ高い強度を有し、これにより、固定構造の作成が容易になり、且つ固定構造の強度が高い。
【００２２】
係止溝２１の断面形状は、Ｌ字形であっても良い、当該係止溝２１は、活動輪３０の取付板３２を収容及び係止するための係止口を備える。２つの係止溝２１の係止口は、対向して取付板３２が進入する通路を形成し、当該通路は、長手方向に沿って対向する第１端と第２端とを備え、係止溝２１は、取付板３２の両側をそれぞれ係止する。選択的には、係止溝２１は、プレス加工によって形成し、高い強度を有し、一方、製作が便利であり、且つコストを節約できる。
【００２３】
固定位置規制部２２は、開口部を備え、開口部は、取付板３２の連なる両辺をそれぞれ阻み、少なくとも１つの固定位置規制部２２は、通路の長手方向の第１端に位置し、取付板３２に対して位置規制の役割を果たす。
【００２４】
変形ストッバ部２３は、通路の長手方向の第２端に位置し、変形ストッバ部２３は、取付板３２が係合空間に進入する図５Ａに示す第１状態と、その局部が折り曲げられた後に取付板３２が係合空間から退出することを阻む図５Ｂに示す第２状態とを有する。変形ストッバ部２３が第１状態と第２状態との間に切替えることによって、活動輪３０の取付板３２が係合空間に進入でき、または、係合空間から退出できるようになる。
【００２５】
上記活動輪３０の固定構造は、変形ストッバ部２３の状態切替によって活動輪３０の着脱を完成でき、取付が便利である長所を有し、一方、ネジ固定方式を取り消すため、コストを降下し、且つ工数を節約できる。
【００２６】
比較的好ましい実施例において、取付板３２は、長方形または正方形であり、固定位置規制部２２の開口部は、互いに垂直する２つの折り辺を含み、当該開口部は、取付板３２の１つの角の両辺をそれぞれ阻む。言い換えると、長方形または正方形の取付板３２の１つの角は、開口部によって当該固定位置規制部２２に進入及び収容し、開口部の互いに垂直する２つの折り辺によって、取付板３２の移動を阻む。
【００２７】
さらに、通路の長手方向の第１端に１つの固定位置規制部２２が設けられ、通路の長手方向の一側に１つの固定位置規制部２２と１つの係止溝２１が設けられ、開口部の１つの折り辺は、固定位置規制部２２の同側の係止溝２１の延長線に位置し、通路の長手方向の他側に１つの係止溝２１のみが設けられる。
【００２８】
さらに、通路の長手方向の第１端に２つの固定位置規制部２２が設けられ、通路の長手方向の両側に１つの固定位置規制部２２と１つの係止溝２１がそれぞれ設けられ、開口部の１つの折り辺は、固定位置規制部２２の同側の係止溝２１の延長線に位置する。ここで、通路の両側に位置する２つの固定位置規制部２２は、取付板３２の２つの角をそれぞれ固定し、通路の両側に位置する２つの係止溝２１は、取付板３２において対向する２つの側辺をそれぞれ固定する。
【００２９】
比較的好ましい実施例において、変形ストッバ部２３は、平面１１に平行する第１状態と、平面１１に垂直する第２状態とを有する。変形ストッバ部２３が平面１１に平行する第１状態にある場合、取付板３２は、係合空間に進入でき、変形ストッバ部２３が平面１１に垂直する第２状態にある場合、取付板３２は、変形ストッバ部２３の制限によって係合空間から退出できない、これにより、取付板３２が当該係合空間内に固定するようになる。
【００３０】
さらに、変形ストッバ部２３は、対向配置された２つの折曲片を含み、当該折曲片は、平面１１に対してプレス加工を実施することによって形成される、局部が折り曲げ可能なシート状の構造であっても良い。図５Ａに示すように、当該折曲片は、第１状態にあり、即ち、変形しない場合、活動輪３０の取付板３２は、係合空間に進入でき、または、係合空間から退出できる。一方、図５Ｂに示すように、活動輪３０の取付板３２が係合空間に進入した後、折曲片は、平面１１のうち活動輪３０が取付けられる一側へ折り曲げられ、折り曲げられた折曲片は、活動輪３０の取付板３２の１つの辺に連なると共に、当該取付板３２を圧着し、係合空間に位置する取付板３２が係止溝２１、固定位置規制部２２及び変形ストッバ部２３に当接するようになり、これにより、活動輪３０の取付板３２が係合空間に固定するようになる。
【００３１】
当該折曲片の変形によって活動輪３０の取付を完成でき、取付が便利である長所を有し、ネジ固定方式を取り消すため、コストを降下し、且つ工数を節約できる。同時に、２つの折曲片を設置することによって、折曲片と取付板３２との間の圧着力をより向上することができ、活動輪３０の取付板３２の取付の安定性を増加できる。
【００３２】
比較的好ましい実施例において、固定構造は、少なくとも１つの第１のネジ孔２４をさらに含み、活動輪３０の取付板３２には、第１のネジ孔２４に合わせる第２のネジ孔３２１が設けられ、第１のネジ孔と固定位置規制部２２とは、一対をなし、第１のネジ孔と固定位置規制部２２は、通路の長手方向の両側にそれぞれ位置する。当該配置は、二重の保障を提供するだけでなく、二次組立の接続強度を保証できる。
【００３３】
具体的には、活動輪３０の固定構造の加工において、誤差が発生した場合、例えば、活動輪３０の取付板３２が係合空間に緩みを発生した場合、第１のネジ孔２４と第２のネジ孔３２１に１つのネジを取付けることによって、活動輪３０と底板１０との接続強度を高め、緩みの発生を避け、これにより、二重の保障を提供し、製品の合格率を高める。一方、活動輪３０が故障または損傷を発生して変更される必要がある場合、変形ストッバ部２３を未変形の状態に恢復することによって、即ち、当該変形ストッバ部２３を第１状態にし、旧い活動輪３０の取付板３２を退出して、新しい活動輪３０の取付板３２を挿入し、再び変形ストッバ部２３の変形によって取付板３２を圧着する場合、変形ストッバ部２３は、失効するおそれがあり、例えば、折曲片が複数回折り曲げられた後、その圧着力と強度は、降下する。この時、第１のネジ孔２４と第２のネジ孔３２１に１つのネジを取付けることによって、変形ストッバ部２３の圧着力と強度とが降下しても、新しい活動輪３０と底板１０が高い接続強度を有することを保証でき、これにより、第１のネジ孔２４と第２のネジ孔３２１を設置することによって、二次組立の接続強度を保証できる。
【００３４】
比較的好ましい実施例において、平面１１は、補強板であり、係止溝２１、固定位置規制部２２及び変形ストッバ部２３は、補強板にプレス加工によってそれぞれ形成する。当該補強板は、外側に突出してボス構造を形成しても良い、好ましくは、鋼製キャビネットなど設備の底板がプレス加工によって形成されるボス構造であり、製作が便利であり、且つ工数を節約できる。補強板を設置することによって、活動輪３０と設備の底板との接続強度を高め、補強の役割を果たし、活動輪３０の取付の信頼性を高める。
【００３５】
本考案の第２の局面は、活動輪３０を備える設備を提供し、当該活動輪３０を備える設備は、活動輪３０と当該活動輪３０を取付けるための固定構造とを含む。ここで、固定構造は、本考案の上記固定構造であり、活動輪３０は、ホイール３１と当該ホイール３１に接続する取付板３２とを含み、活動輪３０の取付板３２は、当該固定構造に固定する。
【００３６】
図１と図２に示すように、本実施例の設備の底板には、四つの活動輪３０の固定構造を含むが、その具体的な数量は、必要に応じて設置しても良い。
【００３７】
本考案は、活動輪３０を備える設備のタイプを限定しない、選択的には、当該活動輪３０を備える設備は、キャビネット、テーブル、椅子、カート、スケートボード、除湿機、掃除機、芝刈機、暖房器
、及びトランクのうちの一方であるが、これらに限定されるものではない。
【００３８】
以上のように、本考案の活動輪の固定構造は、変形ストッバ部の変形によって活動輪の着脱を完成でき、取付が便利である長所を有し、一方、ネジ固定方式を取り消すため、コストを降下し、且つ工数を節約できる。
【００３９】
上記のように本考案の実施例を説明及び記載したが、上記の実施例は例示的なものに過ぎず、本考案を限定するものではないと理解すべきである。本考案の原理及び主旨から逸脱しない場合、本考案の範囲内であれば、当業者は、上記の実施例に対し変更、補正、取替及び変形を行うことができる。
【図１】
0003209927.tif 000003
【図２】
0003209927.tif 000004
【図３】
0003209927.tif 000005
【図４】
0003209927.tif 000006
【図５Ａ】
0003209927.tif 000007
【図５Ｂ】
0003209927.tif 000008